(57)【特許請求の範囲】
【請求項１】
隣接チャネル干渉を制限するように構成されたフェムトセル基地局であって、
フェムトセル内に位置する第１の移動局にダウンリンク信号を送信するための送信機と、
前記フェムトセル基地局によって送信された前記ダウンリンク信号の帯域幅が、マクロセル基地局によって第２の移動局に送信されたダウンリンク信号の帯域幅よりも小さくなるように構成された狭帯域送信パルス整形フィルタと、
前記第１の移動局からアップリンク信号を受信するための受信機と、
前記第１の移動局における狭帯域送信パルス整形フィルタに一致する狭帯域受信パルス整形フィルタと
を備える、フェムトセル基地局。
【請求項２】
前記第１の移動局における前記狭帯域送信パルス整形フィルタは、前記第１の移動局によって送信された前記アップリンク信号の帯域幅が前記第２の移動局によって前記マクロセル基地局に送信されたアップリンク信号の帯域幅よりも小さくなるように構成された、請求項１に記載のフェムトセル基地局。
【請求項３】
前記第１の移動局における狭帯域受信パルス整形フィルタが前記狭帯域送信パルス整形フィルタに一致する、請求項１に記載のフェムトセル基地局。
【請求項４】
前記マクロセル基地局がマクロセルをカバーし、前記フェムトセルが前記マクロセル内に位置する、請求項１に記載のフェムトセル基地局。
【請求項５】
前記第２の移動局も前記フェムトセル内に位置する、請求項１に記載のフェムトセル基地局。
【請求項６】
隣接チャネル干渉を制限するように構成された移動局であって、
アップリンク信号を送信するための送信機と、
前記移動局によって送信された前記アップリンク信号の帯域幅を制限する送信パルス整形フィルタと、
前記移動局によって送信された前記アップリンク信号の前記帯域幅を、前記送信パルス整形フィルタよりも大きい程度に制限する狭帯域送信パルス整形フィルタと、
前記送信パルス整形フィルタと前記狭帯域送信パルス整形フィルタとの間で切り替えるための切替え機構と
を備え、
前記切替え機構が、マクロセル基地局からフェムトセル基地局へのハンドオフが行われたことを検出したことに応答して、前記送信パルス整形フィルタから前記狭帯域送信パルス整形フィルタに切り替えるように構成された、移動局。
【請求項７】
前記切替え機構が、フェムトセル基地局からマクロセル基地局へのハンドオフが行われたことを検出したことに応答して、前記狭帯域送信パルス整形フィルタから前記送信パルス整形フィルタに切り替えるように構成された、請求項６に記載の移動局。
【請求項８】
ダウンリンク信号を受信するための受信機と、
マクロセル基地局における送信パルス整形フィルタに一致する受信パルス整形フィルタと、
フェムトセル基地局における狭帯域送信パルス整形フィルタに一致する狭帯域受信パルス整形フィルタと
をさらに備える、請求項６に記載の移動局。
【請求項９】
前記受信パルス整形フィルタと前記狭帯域受信パルス整形フィルタとの間で切り替えるための切替え機構をさらに備える、請求項８に記載の移動局。
【請求項１０】
前記切替え機構が、前記マクロセル基地局から前記フェムトセル基地局へのハンドオフが行われたことを検出したことに応答して、前記受信パルス整形フィルタから前記狭帯域受信パルス整形フィルタに切り替えるように構成された、請求項９に記載の移動局。
【請求項１１】
前記切替え機構が、前記フェムトセル基地局から前記マクロセル基地局へのハンドオフが行われたことを検出したことに応答して、前記狭帯域受信パルス整形フィルタから前記受信パルス整形フィルタに切り替えるように構成された、請求項９に記載の移動局。
【請求項１２】
受信信号に関する信号対雑音比（ＳＮＲ）を増加させ、隣接アップリンクチャネル干渉を制限するための方法であって、前記方法が移動局によって実施され、前記方法が、
マクロセル基地局からフェムトセル基地局へのハンドオフが行われたことを検出することと、
前記フェムトセル基地局における狭帯域送信パルス整形フィルタに一致する、受信パルス整形フィルタから狭帯域受信パルス整形フィルタに切り替えることと、
前記フェムトセル基地局からダウンリンク送信を受信するために前記狭帯域受信パルス整形フィルタを使用することと
を備える、方法。
【請求項１３】
送信パルス整形フィルタから狭帯域送信パルス整形フィルタに切り替えることと、
前記フェムトセル基地局にアップリンク送信を送るために前記狭帯域送信パルス整形フィルタを使用することと
をさらに備える、請求項１２に記載の方法。
【請求項１４】
前記狭帯域送信パルス整形フィルタが、前記アップリンク送信の帯域幅を、前記送信パルス整形フィルタよりも大きい程度に制限する、請求項１３に記載の方法。
【請求項１５】
前記フェムトセル基地局から前記マクロセル基地局へのハンドオフが行われたことを検出することと、
前記狭帯域受信パルス整形フィルタから前記受信パルス整形フィルタに切り替えることと、
前記マクロセル基地局からダウンリンク送信を受信するために前記受信パルス整形フィルタを使用することと
をさらに備える、請求項１２に記載の方法。
【請求項１６】
狭帯域送信パルス整形フィルタから送信パルス整形フィルタに切り替えることと、
前記マクロセル基地局にアップリンク送信を送るために前記送信パルス整形フィルタを使用することと
をさらに備える、請求項１５に記載の方法。
【請求項１７】
受信信号に関する信号対雑音比（ＳＮＲ）を増加させ、隣接アップリンクチャネル干渉を制限するように構成された装置であって、
マクロセル基地局からフェムトセル基地局へのハンドオフが行われたことを検出するための手段と、
前記フェムトセル基地局における狭帯域送信パルス整形フィルタに一致する、受信パルス整形フィルタから狭帯域受信パルス整形フィルタに切り替えるための手段と、
前記フェムトセル基地局からダウンリンク送信を受信するために前記狭帯域受信パルス整形フィルタを使用するための手段と
を備える、装置。
【請求項１８】
送信パルス整形フィルタから狭帯域送信パルス整形フィルタに切り替えるための手段と、
前記フェムトセル基地局にアップリンク送信を送るために前記狭帯域送信パルス整形フィルタを使用するための手段と
をさらに備える、請求項１７に記載の装置。
【請求項１９】
前記狭帯域送信パルス整形フィルタが、前記アップリンク送信の帯域幅を、前記送信パルス整形フィルタよりも大きい程度に制限する、請求項１８に記載の装置。
【請求項２０】
前記フェムトセル基地局から前記マクロセル基地局へのハンドオフが行われたことを検出するための手段と、
前記狭帯域受信パルス整形フィルタから前記受信パルス整形フィルタに切り替えるための手段と、
前記マクロセル基地局からダウンリンク送信を受信するために前記受信パルス整形フィルタを使用するための手段と
をさらに備える、請求項１７に記載の装置。
【請求項２１】
狭帯域送信パルス整形フィルタから送信パルス整形フィルタに切り替えるための手段と、
前記マクロセル基地局にアップリンク送信を送るために前記送信パルス整形フィルタを使用するための手段と
をさらに備える、請求項２０に記載の装置。
【請求項２２】
受信信号に関する信号対雑音比（ＳＮＲ）を増加させ、隣接アップリンクチャネル干渉を制限するためのコンピュータプログラム製品であって、前記コンピュータプログラム製品はその上に命令を有するコンピュータ可読媒体を備え、前記命令が、
マクロセル基地局からフェムトセル基地局へのハンドオフが行われたことを検出するためのコードと、
前記フェムトセル基地局における狭帯域送信パルス整形フィルタに一致する、受信パルス整形フィルタから狭帯域受信パルス整形フィルタに切り替えるためのコードと、
前記フェムトセル基地局からダウンリンク送信を受信するために前記狭帯域受信パルス整形フィルタを使用するためのコードと
を備える、コンピュータプログラム製品。
【請求項２３】
送信パルス整形フィルタから狭帯域送信パルス整形フィルタに切り替えるためのコードと、
前記フェムトセル基地局にアップリンク送信を送るために前記狭帯域送信パルス整形フィルタを使用するためのコードと
をさらに備える、請求項２２に記載のコンピュータプログラム製品。
【請求項２４】
前記フェムトセル基地局から前記マクロセル基地局へのハンドオフが行われたことを検出するためのコードと、
前記狭帯域受信パルス整形フィルタから前記受信パルス整形フィルタに切り替えるためのコードと、
前記マクロセル基地局からダウンリンク送信を受信するために前記受信パルス整形フィルタを使用するためのコードと
をさらに備える、請求項２２に記載のコンピュータプログラム製品。
【請求項２５】
狭帯域送信パルス整形フィルタから送信パルス整形フィルタに切り替えるためのコードと、
前記マクロセル基地局にアップリンク送信を送るために前記送信パルス整形フィルタを使用するためのコードと
をさらに備える、請求項２４に記載のコンピュータプログラム製品。
【発明の詳細な説明】
【技術分野】
【０００１】
関連出願
本出願は、参照により本明細書に組み込まれる、２００８年８月２０日に出願された「Adaptive Transmission (Tx)/Reception (Rx) Pulse Shaping Filter For Access Point Base Stations And Mobile Stations Within A Network」と題する米国特許出願第６１／０９０，５６９号に関し、その優先権を主張する。
【０００２】
本開示は、一般に通信システムに関する。より詳細には、本開示は、ネットワーク内のフェムトセル基地局および移動局のための適応型送信（Ｔｘ）／受信（Ｒｘ）パルス整形フィルタに関する。
【背景技術】
【０００３】
ワイヤレス通信システムは、世界中の多くの人々が通信できるようにするための重要な手段となっている。ワイヤレス通信システムはいくつかの移動局のための通信を行うことができ得、各移動局は基地局によってサービスされ得る。
【０００４】
本明細書で使用する「移動局」という用語は、ワイヤレス通信システムを介したボイスおよび／またはデータ通信のために使用でき得る電子デバイスを指す。移動局の例には、セルラー電話、携帯情報端末（ＰＤＡ）、ワイヤレスモデム、ラップトップコンピュータなどがある。移動局は、代替的に、アクセス端末、モバイル端末、加入者局、リモート局、ユーザ端末、端末、加入者ユニット、モバイルデバイス、ワイヤレスデバイス、ユーザ機器、または何らかの他の用語で呼ばれることがある。
【０００５】
「基地局」という用語は、固定ロケーションに設置され、移動局と通信するために使用される無線通信局を指す。基地局は、代替的に、アクセスポイント、ノードＢ、進化型ノードＢ、または何らかの他の同様の用語で呼ばれることがある。
【０００６】
移動局は、アップリンクおよびダウンリンク上の伝送を介して１つまたは複数の基地局と通信することができ得る。アップリンク（または逆方向リンク）は、移動局から基地局への通信リンクを指し、ダウンリンク（または順方向リンク）は、基地局から移動局への通信リンクを指す。
【０００７】
フェムトセル基地局は、一般に宅内環境または小規模ビジネス環境中で使用するように設計された、小型セルラー基地局である。フェムトセル基地局は、（ＤＳＬまたはケーブルなどの）ブロードバンドを介してサービスプロバイダのネットワークに接続する。フェムトセル基地局により、サービスプロバイダは、特にアクセスがさもなければ制限されているかまたは利用不可能であろう屋内に、サービスカバレージを拡張することができる。フェムトセル基地局は、代替的に、アクセスポイント基地局、ホームノードＢ（ＨＮＢ）、ホーム進化型ノードＢ（ＨｅＮＢ）、フェムトノードなどと呼ばれることがある。
【０００８】
フェムトセル基地局のカバレージエリアは、本明細書ではフェムトセルと呼ばれることがある。典型的な基地局のカバレージエリアは、本明細書ではマクロセルと呼ばれることがあり、典型的な基地局は、本明細書ではマクロセル基地局と呼ばれることがある。
【０００９】
隣接チャネル干渉は、隣接チャネル中の信号からの外来電力よって引き起こされた干渉である。隣接チャネル干渉は２つの移動局の間で生じることがあり、移動局のうちの一方はフェムトセル基地局からサービスを受信し、他方の移動局はマクロセル基地局からサービスを受信しており、２つの移動局は隣接するキャリアにおいて動作している。本開示は、特に干渉チャネルがフェムトセル基地局およびマクロセル基地に関与する隣接チャネル干渉を低減することに関する。
【図面の簡単な説明】
【００１０】
【図１】何人かのユーザをサポートするように構成されたワイヤレス通信システムを示す図。
【図２】フェムトセル基地局とマクロセル基地局とを含むワイヤレス通信システムを示す図。
【図３】隣接チャネル干渉が生じることがある、第１の移動局と第２の移動局とを含むワイヤレス通信システムを示す図。
【図４】ワイヤレス通信システム中の送信機と受信機とを示す図。
【図５】フェムトセル基地局が狭帯域送信パルス整形フィルタを利用し、システム内のマクロセル基地局が標準送信パルス整形フィルタを利用するシステムを示す図。
【図６】フェムトセル基地局が狭帯域送信パルス整形フィルタを利用し、システム内のマクロセル基地局が標準送信パルス整形フィルタを利用するシステムを示す図。
【図７】マクロセル基地局からフェムトセル基地局へのハンドオフが行われたことを検出したとき、図５および図６のシステム中の移動局によって実行でき得る方法を示す図。
【図８】フェムトセル基地局からマクロセル基地局へのハンドオフが行われたことを検出したとき、図５および図６のシステム中の移動局によって実行でき得る方法を示す図。
【図９】図７の方法に対応するミーンズプラスファンクションブロックを示す図。
【図１０】図８の方法に対応するミーンズプラスファンクションブロックを示す図。
【図１１】フェムトセル基地局が狭帯域送信パルス整形フィルタを利用し、システム内のマクロセル基地局が標準送信パルス整形フィルタを利用し、第１の移動局と第２の移動局とがフェムトセル内に位置する、別のシステムを示す図。
【図１２】ワイヤレスデバイス内に含まれ得るいくつかの構成要素を示す図。
【発明を実施するための形態】
【００１１】
隣接チャネル干渉を制限するように構成されたフェムトセル基地局を開示する。本フェムトセル基地局は、第１の移動局にダウンリンク信号を送信するための送信機を含む。第１の移動局はフェムトセル内に位置する。本フェムトセル基地局はまた、狭帯域送信パルス整形フィルタを含む。狭帯域送信パルス整形フィルタは、フェムトセル基地局によって送信されたダウンリンク信号の帯域幅が、マクロセル基地局によって第２の移動局に送信されたダウンリンク信号の帯域幅よりも小さくなるように構成される。
【００１２】
本フェムトセル基地局はまた、第１の移動局からアップリンク信号を受信するための受信機を含むことができ得る。本フェムトセル基地局はまた、第１の移動局における狭帯域送信パルス整形フィルタに一致する狭帯域受信パルス整形フィルタを含むことができ得る。第１の移動局における狭帯域送信パルス整形フィルタは、第１の移動局によって送信されたアップリンク信号の帯域幅が第２の移動局によってマクロセル基地局に送信されたアップリンク信号の帯域幅よりも小さくなるように構成することができ得る。
【００１３】
前述のように、本フェムトセル基地局は、狭帯域送信パルス整形フィルタを含む。第１の移動局における狭帯域受信パルス整形フィルタは、フェムトセル基地局における狭帯域送信パルス整形フィルタに一致することができ得る。
【００１４】
マクロセル基地局はマクロセルをカバーすることができ得る。フェムトセルはマクロセル内に位置することができ得る。第２の移動局はまた、フェムトセル内に位置することができ得る。
【００１５】
隣接チャネル干渉を制限するように構成された移動局を開示する。本移動局は、アップリンク信号を送信するための送信機を含む。本移動局はまた、本移動局によって送信されたアップリンク信号の帯域幅を制限する送信パルス整形フィルタを含む。本移動局はまた、本移動局によって送信されたアップリンク信号の帯域幅を、送信パルス整形フィルタよりも大きい程度に制限する狭帯域送信パルス整形フィルタを含む。
【００１６】
本移動局はまた、送信パルス整形フィルタと狭帯域送信パルス整形フィルタとの間で切り替えるための切替え機構を含むことができ得る。一例として、切替え機構は、マクロセル基地局からフェムトセル基地局へのハンドオフが行われたことを検出したことに応答して、送信パルス整形フィルタから狭帯域送信パルス整形フィルタに切り替えるように構成でき得る。切替え機構は、フェムトセル基地局からマクロセル基地局へのハンドオフが行われたことを検出したことに応答して、狭帯域送信パルス整形フィルタから送信パルス整形フィルタに切り替えるように構成でき得る。もちろん、本開示の範囲内で他の切替え機構も可能である。
【００１７】
本移動局はさらに、ダウンリンク信号を受信するための受信機を含むことができ得る。本移動局はまた、マクロセル基地局における送信パルス整形フィルタに一致する受信パルス整形フィルタと含むことができ得る。本移動局はまた、フェムトセル基地局における狭帯域送信パルス整形フィルタに一致する狭帯域受信パルス整形フィルタを含むことができ得る。本移動局はさらに、受信パルス整形フィルタと狭帯域受信パルス整形フィルタとの間で切り替えるための切替え機構を含むことができ得る。一例として、切替え機構は、マクロセル基地局からフェムトセル基地局へのハンドオフが行われたことを検出したことに応答して、受信パルス整形フィルタから狭帯域受信パルス整形フィルタに切り替えるように構成でき得る。切替え機構は、フェムトセル基地局からマクロセル基地局へのハンドオフが行われたことを検出したことに応答して、狭帯域受信パルス整形フィルタから受信パルス整形フィルタに切り替えるように構成でき得る。もちろん、本開示の範囲内で他の切替え機構も可能である。
【００１８】
受信信号に関する信号対雑音比（ＳＮＲ）を増加させ、隣接アップリンクチャネル干渉を制限するための方法を開示する。本方法は移動局によって実施される。本方法は、マクロセル基地局からフェムトセル基地局へのハンドオフが行われたことを検出することを含む。本方法はまた、受信パルス整形フィルタから狭帯域受信パルス整形フィルタに切り替えることを含む。本方法はまた、フェムトセル基地局からダウンリンク送信を受信するために狭帯域受信パルス整形フィルタを使用することを含む。
【００１９】
本方法はまた、送信パルス整形フィルタから狭帯域送信パルス整形フィルタに切り替えることを含むことができ得る。本方法はまた、フェムトセル基地局にアップリンク送信を送るために狭帯域送信パルス整形フィルタを使用することを含むことができ得る。
【００２０】
本方法はさらに、フェムトセル基地局からマクロセル基地局へのハンドオフが行われたことを検出することを含むことができ得る。本方法または、狭帯域受信パルス整形フィルタから受信パルス整形フィルタに切り替えることを含むことができ得る。本方法はまた、マクロセル基地局からダウンリンク送信を受信するために受信パルス整形フィルタを使用することを含むことができ得る。本方法はまた、狭帯域送信パルス整形フィルタから送信パルス整形フィルタに切り替えることを含むことができ得る。本方法はさらに、マクロセル基地局にアップリンク送信を送るために送信パルス整形フィルタを使用することを含むことができ得る。
【００２１】
受信信号に関する信号対雑音比（ＳＮＲ）を増加させ、隣接アップリンクチャネル干渉を制限するように構成された装置を開示する。本装置は、マクロセル基地局からフェムトセル基地局へのハンドオフが行われたことを検出するための手段を含む。本装置はまた、受信パルス整形フィルタから狭帯域受信パルス整形フィルタに切り替えるための手段を含む。本装置はまた、フェムトセル基地局からダウンリンク送信を受信するために狭帯域受信パルス整形フィルタを使用する手段を含む。
【００２２】
受信信号に関する信号対雑音比（ＳＮＲ）を増加させ、隣接アップリンクチャネル干渉を制限するためのコンピュータプログラム製品を開示する。本コンピュータプログラム製品は、その上に命令を有するコンピュータ可読媒体を含む。命令は、マクロセル基地局からフェムトセル基地局へのハンドオフが行われたことを検出するためのコードを含む。命令はまた、受信パルス整形フィルタから狭帯域受信パルス整形フィルタに切り替えるためのコードを含む。命令はまた、フェムトセル基地局からダウンリンク送信を受信するために狭帯域受信パルス整形フィルタを使用するためのコードを含む。
【００２３】
図１に、何人かのユーザをサポートするように構成されたワイヤレス通信システム１００を示す。システム１００は、複数のマクロセル１０２（たとえば、マクロセル１０２ａ〜ｃ）のための通信を行い、各マクロセル１０２は、対応するマクロセル基地局（ＢＳ）１０４（たとえば、マクロセルＢＳ１０４ａ〜ｃ）によってサービスされる。移動局１０６（たとえば、移動局１０６ａ〜ｎ）は、時間とともにシステム１００全体にわたって様々なロケーションに分散され得る。各移動局（ＭＳ）１０６は、たとえば、そのＭＳ１０６がアクティブであるかどうか、およびそのＭＳ１０６がソフトハンドオフ中であるかどうかに応じて、所与の時点おいてアップリンクおよび／またはダウンリンク上の１つまたは複数のマクロセル基地局１０４と通信することができ得る。ワイヤレス通信システム１００は広い地理的領域にわたってサービスを提供することができ得る。
【００２４】
図２に、フェムトセルＢＳ２１０とマクロセルＢＳ２０４とを含むワイヤレス通信システム２００を示す。フェムトセルＢＳ２１０のカバレージエリアはフェムトセル２０８と呼ばれることがあり、マクロセルＢＳ２０４のカバレージエリアは、本明細書では、マクロセル２０２と呼ばれることがある。マクロセル２０２はフェムトセル２０８よりもかなり広くすることができ得る。たとえば、マクロセル２０２の半径は数キロメートルのオーダーとすることができ得、フェムトセル２０８は家庭または小規模建築物をカバーすることができ得る。フェムトセル２０８は、マクロセル２０２内に位置する小さい分離したカバレージエリアと考えることができ得る。
【００２５】
フェムトセルＢＳ２１０は、ＤＳＬルータ、ケーブルモデム、ワイヤレスリンク、または他の接続性手段を介してワイドエリアネットワーク２１８（たとえば、インターネット）およびモバイルオペレータコアネットワーク２１６に結合され得る。マクロセルＢＳ２０４もコアネットワーク２１６に結合され得る。
【００２６】
ＭＳ２０６は、フェムトセルＢＳ２１０からサービスを受信することが可能であり得、またマクロセルＢＳ２０４からサービスを受信することが可能であり得る。たとえば、フェムトセルＢＳ２１０は、ＭＳ２０６がフェムトセル２０８内に位置するとき、ＭＳ２０６にサービスを提供することができ得る。ＭＳ２０６がフェムトセル２０８の外に移動するが、依然としてマクロセル２０２内に位置するとき、マクロセルＢＳ２０４はＭＳ２０６にサービスを提供することができ得る。
【００２７】
図３に、マクロセル３０２内に位置するフェムトセル３０８内に第１のＭＳ３０６ａおよび第２のＭＳ３０６ｂが位置するワイヤレス通信システム３００を示す。第１のＭＳ３０６ａはフェムトセルＢＳ３１０からサービスを受信している。第１のＭＳ３０６ａは、アップリンク３１２ａを介してフェムトセルＢＳ３１０にデータを送り、ダウンリンク３１４ａを介してフェムトセルＢＳ３１０からデータを受信する。しかしながら、第２のＭＳ３０６ｂはフェムトセル３０８内に位置しているにもかかわらず、第２のＭＳ３０６ｂはマクロセルＢＳ３０４からサービスを受信している。たとえば、フェムトセルＢＳ３１０は、ある個人の家庭内に位置することができ得、第２のＭＳ３０６ｂは、その個人の家庭を訪問しているが、フェムトセルＢＳ３１０からサービスを受信することを許可されていない誰かに属することができ得る。第２のＭＳ３０６ｂは、アップリンク３１２ｂを介してマクロセルＢＳ３０４にデータを送り、ダウンリンク３１４ｂを介してマクロセルＢＳ３０４からデータを受信する。
【００２８】
第２のＭＳ３０６ｂは、フェムトセルＢＳ３１０の比較的近くに位置することができ得る。その結果、アップリンク３１２ｂ上での第２のＭＳ３０６ｂからマクロセルＢＳ３０４への送信は、フェムトセルＢＳ３１０において受信され得、したがってアップリンク３１２ａ上での第１のＭＳ３０６ａからフェムトセルＢＳ３１０への送信と干渉し得る。隣接するキャリアがアップリンク３１２ａ、３１２ｂのために使用される場合、この干渉は隣接アップリンクチャネル干渉と呼ばれることがある。
【００２９】
同様に、ダウンリンク３１４ａ上でのフェムトセルＢＳ３１０から第１のＭＳ３０６ａへの送信は、第２のＭＳ３０６ｂにおいて受信され得、したがってダウンリンク３１４ｂ上でのマクロセルＢＳ３０４から第２のＭＳ３０６ｂへの送信と干渉し得る。隣接するキャリアがダウンリンク３１４ａ、３１４ｂのために使用される場合、この干渉は隣接ダウンリンクチャネル干渉と呼ばれることがある。
【００３０】
図３では、第２のＭＳ３０６ｂがフェムトセル３０８内に位置しているが、第２のＭＳ３０６ｂがフェムトセル３０８の外に位置する場合でも、隣接アップリンクチャネル干渉および隣接ダウンリンクチャネル干渉が生じることがある。本明細書で開示した方法は、第２のＭＳ３０６ｂがフェムトセル３０８内に位置しているか、またはフェムトセル３０８の外に位置しているかにかかわらず、利用でき得る。
【００３１】
図４に、ワイヤレス通信システム４００中の送信機４２０と受信機４２２とを示す。送信機４２０は、デジタルデータを受け入れ、それを変調された無線周波（ＲＦ）信号に変換し、その信号を受信機４２２に送信する。受信機４２２は、ＲＦ信号を受信し、データを再生するようにそれを復調する。
【００３２】
送信機４２０に与えられたデジタルデータは、ある変調フォーマットに従って、シンボルを表す変調されたサンプルのシーケンスを生成するために変調器４２４によって変調され得る。変調されたサンプルは、フィルタ処理されたサンプルのシーケンスを生成するために送信機（Ｔｘ）パルス整形フィルタ４２６によってフィルタ処理され得る。Ｔｘパルス整形フィルタ４２６は、有限インパルス応答（ＦＩＲ）フィルタとして実装でき得るデジタルフィルタである。
【００３３】
Ｔｘフロントエンド４２８はＴｘパルス整形フィルタ４２６の出力を処理することができ得る。Ｔｘフロントエンド４２８は、補間、予歪および／または他のフィルタ処理演算などの関数を実行することができ得る。フィルタ処理されたサンプルは、その入力における変調されフィルタ処理されたサンプルシーケンスを表すアナログ信号を生成するデジタルアナログ変換器（ＤＡＣ）４３０に提供され得る。アナログ信号は、次いで、アップコンバータ（ＵＣ）４３２によって好適な無線周波数にアップコンバートされ、電力増幅器（ＰＡ）４３４によって増幅され得る。ＲＦ信号は、次いで、送信アンテナ４３６を介して送信され得る。
【００３４】
受信アンテナ４３８は、送信信号を受信し、それをダウンコンバータ４４０に与え得、ダウンコンバータ４４０は、その信号をＲＦから好適な中間周波数（ＩＦ）またはベースバンドアナログ信号にダウンコンバートする。アナログ信号は、デジタル化されたサンプルのシーケンスを生成するアナログデジタル変換器（ＡＤＣ）４４２によってデジタル化され得る。デジタル化されたサンプルは、デシメーション、自動利得制御（ＡＧＣ）および／または他の適応フィルタ処理演算などの関数を実行することができ得る受信機（Ｒｘ）フロントエンド４４４によって処理され得る。サンプルは、次いで、Ｒｘパルス整形フィルタ４４６によってフィルタ処理され得る。Ｒｘパルス整形フィルタ４４６は、ＦＩＲフィルタとして実装でき得るデジタルフィルタである。Ｒｘパルス整形フィルタ４４６の出力におけるサンプルは、送信機４２０に与えられたデータを再生し、出力する復調器４４８によって復調され得る。
【００３５】
Ｔｘパルス整形フィルタ４２６およびＲｘパルス整形フィルタ４４６のスペクトル応答は、通信システム４００のパフォーマンスに有意な影響を及ぼし得る。たとえば、Ｔｘパルス整形フィルタ４２６は、隣接チャネル干渉のレベルと送信機４２０によって発生された他のスプリアス放射とをしばしば決定する、送信信号のスペクトルバンド幅を制限する。送信機４２０が特定の通信規格に準拠するとき、送信信号の帯域幅は一般に、超えてはならないスペクトルマスクをしばしば使用して、その規格において指定される。
【００３６】
Ｔｘパルス整形フィルタ４２６とＲｘパルス整形フィルタ４４６とは互いに一致しなければならない。たとえば、Ｔｘパルス整形フィルタ４２６およびＲｘパルス整形フィルタ４４６は、それらがそれぞれルートレイズドコサイン（ＲＲＣ）応答を有するように、およびそれらの合成スペクトル応答がレイズドコサイン（ＲＣ）スペクトル応答となるように実装でき得る。もちろん、ＲＲＣは単に一例として与えたものであり、Ｔｘパルス整形フィルタ４２６およびＲｘパルス整形フィルタ４４６は、それらがそれぞれＲＲＣ応答を有するように実装される必要はない。ただし、それらは、信号対雑音比（ＳＮＲ）を最大にするように、Ｒｘパルス整形フィルタ４４６がＴｘパルス整形フィルタ４２６に一致するように、同じ応答を有しなければならない。
【００３７】
図３のシステム３００におけるフェムトセルＢＳ３１０、マクロセルＢＳ３０４、およびＭＳ３０６ａ、３０６ｂはそれぞれ、図４に示される送信機４２０および受信機４２２と同様に構成された送信機および受信機を含むことができ得る。
【００３８】
図５および図６に、図３に関して上述したタイプの隣接チャネル干渉を低減するための１つの可能な手法を示す。図示の手法では、ワイヤレス通信システム５００内のフェムトセルＢＳ５１０は狭帯域Ｔｘパルス整形フィルタ５５０ａを利用するが、システム５００内のマクロセルＢＳ５０４は標準Ｔｘパルス整形フィルタ５２６ａを利用する。このコンテキストにおける「狭帯域」という用語は、フェムトセルＢＳ５１０によって利用されるＴｘパルス整形フィルタ５５０ａは、Ｔｘパルス整形フィルタ５２６ａがマクロセルＢＳ５０４によって送信されたダウンリンク５１４ｂ信号のスペクトルバンド幅を制限するよりも大きい程度に、フェムトセルＢＳ５１０によって送信されたダウンリンク５１４ａ信号のスペクトルバンド幅を制限することを意味する。たとえば、１つの可能な実装形態では、狭帯域Ｔｘパルス整形フィルタ５５０ａの３ｄＢ帯域幅は、標準Ｔｘパルス整形フィルタ５２６ａの３ｄＢ帯域幅の９０％とすることができ得る。ただし、この値は、単に例として与えたものであり、本開示の範囲を限定するために使用されるべきではない。
【００３９】
システム５００内のＭＳ５０６は、フェムトセルＢＳ５１０の狭帯域Ｔｘパルス整形フィルタ５５０ａに一致する狭帯域Ｒｘパルス整形フィルタ５５２ｂ、ならびにマクロセルＢＳ５０４の標準Ｔｘパルス整形フィルタ５２６ａに一致する標準Ｒｘパルス整形フィルタ５４６ｂの両方を含む。
【００４０】
ＭＳ５０６は、狭帯域Ｔｘパルス整形フィルタ５５０ｂと標準Ｔｘパルス整形フィルタ５２６ｂの両方を含む。狭帯域Ｔｘパルス整形フィルタ５５０ａは、ＭＳ５０６によって送信されたアップリンク５１２ｂ信号のスペクトルバンド幅を標準Ｔｘパルス整形フィルタ５２６ｂが制限するよりも大きい程度に、ＭＳ５０６によって送信されたアップリンク５１２ａ信号のスペクトルバンド幅を制限する。フェムトセルＢＳ５１０は、ＭＳ５０６の狭帯域Ｔｘパルス整形フィルタ５５０ｂに一致する狭帯域Ｒｘパルス整形フィルタ５５２ａを含む。マクロセルＢＳ５０４は、ＭＳ５０６の標準Ｒｘパルス整形フィルタ５４６ｂに一致する標準Ｒｘパルス整形フィルタ５４６ａを含む。
【００４１】
ＭＳ５０６は、少なくとも２つの異なる構成で動作することが可能である。第１の構成では、ＭＳ５０６は、狭帯域Ｔｘパルス整形フィルタ５５０ｂと狭帯域Ｒｘパルス整形フィルタ５５２ｂとを利用する。第２の構成では、ＭＳ５０６は、標準Ｔｘパルス整形フィルタ５２６ｂと標準Ｒｘパルス整形フィルタ５４６ｂとを利用する。ＭＳ５０６はまた、第１の構成と第２の構成との間で切り替えるための切替え機構５５４を含む。
【００４２】
図５に、フェムトセル５０８内に位置するＭＳ５０６を示す。ＭＳ５０６は、アップリンク５１２ａとダウンリンク５１４ａとを介してフェムトセルＢＳ５１０と通信している。ＭＳ５０６は、上記の第１の構成であり、すなわち、（フェムトセルＢＳ５１０によって利用される狭帯域Ｒｘパルス整形フィルタ５５２ａに一致する）狭帯域Ｔｘパルス整形フィルタ５５０ｂと、（フェムトセルＢＳ５１０によって利用される狭帯域Ｔｘパルス整形フィルタ５５０ａに一致する）狭帯域Ｒｘパルス整形フィルタ５５２ｂとを利用している。
【００４３】
図６に、フェムトセル５０８の外に位置するが、依然としてマクロセル５０２内に位置するＭＳ５０６を示す。ＭＳ５０６は、アップリンク５１２ｂとダウンリンク５１４ｂとを介してマクロセルＢＳ５０４と通信している。ＭＳ５０６は、上述の第２の構成であり、すなわち、（マクロセルＢＳ５０４によって利用される標準Ｒｘパルス整形フィルタ５４６ａに一致する）標準Ｔｘパルス整形フィルタ５２６ｂと、（マクロセルＢＳ５０４によって利用される標準Ｔｘパルス整形フィルタ５２６ａに一致する）標準Ｒｘパルス整形フィルタ５４６ｂとを利用している。
【００４４】
より詳細には、図７を参照すると、マクロセルＢＳ５０４からフェムトセルＢＳ５１０へのハンドオフが行われたことをＭＳ５０６が検出したとき（７５６）、ＭＳ５０６は狭帯域Ｔｘパルス整形フィルタ５５０ｂに切り替え（７５８）、狭帯域Ｒｘパルス整形フィルタ５５２ｂに切り替える（７６０）ことができ得る。ＭＳ５０６は、次いで、アップリンク５１２ａ上でフェムトセルＢＳ５１０に送信を送るために狭帯域Ｔｘパルス整形フィルタ５５０ｂを使用し（７６２）、ダウンリンク５１４ａ上でフェムトセルＢＳ５１０から送信を受信するために狭帯域Ｒｘパルス整形フィルタ５５２ｂを使用する（７６４）ことができ得る。
【００４５】
次に図８を参照すると、フェムトセルＢＳ５１０からマクロセルＢＳ５０４へのハンドオフが行われたことをＭＳ５０６が検出したとき（８６６）、ＭＳ５０６は、標準Ｔｘパルス整形フィルタ５２６ｂに切り替え（８６８）、標準Ｒｘパルス整形フィルタ５４６ｂに切り替える（８７０）ことができ得る。ＭＳ５０６は、次いで、アップリンク５１２ｂ上でマクロセルＢＳ５０４に送信を送るために標準Ｔｘパルス整形フィルタ５２６ｂを使用し（８７２）、ダウンリンク５１４ｂ上でマクロセルＢＳ５０４から送信を受信するために標準Ｒｘパルス整形フィルタ５４６ｂを使用する（８７４）ことができ得る。
【００４６】
上記の説明では、ＭＳ５０６がマクロセルＢＳ５０４によってサービスされているか、またはフェムトセルＢＳ５１０によってサービスされているかをＭＳ５０６が検出し、ＭＳ５０６が適切なパルス整形フィルタに自動的に切り替えると仮定している。代替的に、または追加として、ＭＳ５０６がフェムトセルＢＳ５１０によってサービスされているとき、フェムトセルＢＳ５１０は、狭帯域Ｔｘパルス整形フィルタ５５０ｂおよび狭帯域Ｒｘパルス整形フィルタ５５２ｂに切り替えるようにＭＳ５０６に命令することができる。
【００４７】
上述の図７の方法７００は、図９に示すミーンズプラスファンクションブロック９００に対応する様々な（１つまたは複数の）ハードウェアおよび／またはソフトウェア構成要素および／またはモジュールによって実行でき得る。言い換えれば、図７に示すブロック７５６〜７６４は、図９に示すミーンズプラスファンクションブロック９５６〜９６４に対応する。
【００４８】
同様に上述の図８の方法８００は、図１０に示すミーンズプラスファンクションブロック１０００に対応する様々な（１つまたは複数の）ハードウェアおよび／またはソフトウェア構成要素および／またはモジュールによって実行でき得る。言い換えれば、図８に示すブロック８６６〜８７４は、図１０に示すミーンズプラスファンクションブロック１０６６〜１０７４に対応する。
【００４９】
図１１に、図３に関して上述したシステム３００と同様であるシステム１１００を示す。具体的には、図１１には、マクロセル１１０２内に位置するフェムトセル１１０８内に第１のＭＳ１１０６ａおよび第２のＭＳ１１０６ｂが位置する、システム１１００が示されている。図３に関して上述したシステム３００のように、第１のＭＳ１１０６ａはフェムトセルＢＳ１１１０からサービスを受信している。第１のＭＳ１１０６ａは、アップリンク１１１２ａを介してフェムトセルＢＳ１１１０にデータを送り、ダウンリンク１１１４ａを介してフェムトセルＢＳ１１１０からデータを受信する。第２のＭＳ１１０６ｂはフェムトセル１１０８内に位置しているにもかかわらず、第２のＭＳ１１０６ｂはマクロセルＢＳ１１０４からサービスを受信している。第２のＭＳ１１０６ｂは、アップリンク１１１２ｂを介してマクロセルＢＳ１１０４にデータを送り、ダウンリンク１１１４ｂを介してマクロセルＢＳ１１０４からデータを受信する。
【００５０】
図３に関して上述したシステム３００では、フェムトセルＢＳ３１０、マクロセルＢＳ３０４、およびＭＳ３０６ａ、３０６ｂはそれぞれ、同じＴｘパルス整形フィルタ４２６および同じＲｘパルス整形フィルタ４４６を利用する。対照的に、図１１に示されたシステム１１００では、フェムトセルＢＳ１１１０、マクロセルＢＳ１１０４、およびＭＳ１１０６ａ、１１０６ｂは、同じＴｘパルス整形フィルタおよび同じＲｘパルス整形フィルタを利用しない。
【００５１】
フェムトセルＢＳ１１１０は狭帯域Ｔｘパルス整形フィルタ１１５０ａを利用するが、マクロセルＢＳ１１０４は標準Ｔｘパルス整形フィルタ１１２６ａを利用する。狭帯域Ｔｘパルス整形フィルタ１１５０ａは、マクロセルＢＳ１１０４によって送信されたダウンリンク信号１１１４ｂのスペクトルバンド幅を標準Ｔｘパルス整形フィルタ１１２６ａが制限するよりも大きい程度に、フェムトセルＢＳ１１１０によって送信されたダウンリンク１１１４ａ信号のスペクトルバンド幅を制限する。第１のＭＳ１１０６ａは、フェムトセルＢＳ１１１０の狭帯域Ｔｘパルス整形フィルタ１１５０ａに一致する（第１のＭＳ１１０６ａが、フェムトセル１１０８内に位置し、フェムトセルＢＳ１１１０からサービスを受信しているときに使用するための）狭帯域Ｒｘパルス整形フィルタ１１５２ｂと、マクロセルＢＳ１１０４の標準Ｔｘパルス整形フィルタ１１２６ａに一致する（第１のＭＳ１１０６ａが、フェムトセル１１０８の外に位置するがマクロセル１１０４内に位置し、マクロセルＢＳ１１０４からサービスを受信しているときに使用するための）標準Ｒｘパルス整形フィルタ１１４６ｂとを含む。第２のＭＳ１１０６ｂは、マクロセルＢＳ１１０４の標準Ｔｘパルス整形フィルタ１１２６ａに一致する標準Ｒｘパルス整形フィルタ１１４６ｂ’を含む。
【００５２】
第１のＭＳ１１０６ａは、（第１のＭＳ１１０６ａが、フェムトセル１１０８内に位置し、フェムトセルＢＳ１１１０からサービスを受信しているときに使用するための）狭帯域Ｔｘパルス整形フィルタ１１５０ｂと、（第１のＭＳ１１０６ａが、フェムトセル１１０８の外に位置するがマクロセル１１０４内に位置し、マクロセルＢＳ１１０４からサービスを受信しているときに使用するための）標準Ｔｘパルス整形フィルタ１１２６ｂの両方を利用する。第２のＭＳ１１０６ｂは標準Ｔｘパルス整形フィルタ１１２６ｂ’を含む。狭帯域Ｔｘパルス整形フィルタ１１５０ｂは、第１のＭＳ１１０６ａによって送信されたアップリンク信号のスペクトルバンド幅を標準Ｔｘパルス整形フィルタ１１２６ｂが制限するよりも、または第２のＭＳ１１０６ｂによって送信されたアップリンク１１１２ｂ信号のスペクトルバンド幅を標準Ｔｘパルス整形フィルタ１１２６ｂ’が制限するよりも大きい程度に、第１のＭＳ１１０６ａによって送信されたアップリンク１１１２ａ信号のスペクトルバンド幅を制限する。フェムトセルＢＳ１１１０は、第１のＭＳ１１０６ａの狭帯域Ｔｘパルス整形フィルタ１１５０ｂに一致する狭帯域Ｒｘパルス整形フィルタ１１５２ａを含む。マクロセルＢＳ１１０４は、第１のＭＳ１１０６ａの標準Ｔｘパルス整形フィルタ１１２６ｂと第２のＭＳ１１０６ｂの標準Ｔｘパルス整形フィルタ１１２６ｂ’とに一致する標準Ｒｘパルス整形フィルタ１１４６ａを含む。
【００５３】
図３に関して上述したシステム３００の場合と同様に、第２のＭＳ１１０６ｂはフェムトセルＢＳ１１１０の比較的近くに位置することができ得る。その結果、アップリンク１１１２ｂ上での第２のＭＳ１１０６ｂからマクロセルＢＳ１１０４への送信は、フェムトセルＢＳ１１１０において受信され得、したがってアップリンク１１１２ａ上での第１のＭＳ１１０６ａからフェムトセルＢＳ１１１０への送信と干渉し得る。隣接するキャリアがアップリンク１１１２ａ、１１１２ｂのために使用される場合、この干渉は隣接アップリンクチャネル干渉と呼ばれることがある。しかしながら、第１のＭＳ１１０６ａは狭帯域Ｔｘパルス整形フィルタ１１５０ｂを利用するので、図１１のシステム１１００中に生じる隣接するアップリンクチャネル干渉は、図３のシステム３００中に生じる隣接するアップリンクチャネル干渉よりも著しく小さくなり得る。また、フェムトセルＢＳ１１１０は狭帯域Ｒｘパルス整形フィルタ１１５２ａを利用し、それにより受信信号に関する信号対雑音比（ＳＮＲ）が増加する。
【００５４】
同様に、ダウンリンク１１１４ａ上でのフェムトセルＢＳ１１１０から第１のＭＳ１１０６ａへの送信は第２のＭＳ１１０６ｂにおいて受信され得、したがってダウンリンク１１１４ｂ上でのマクロセルＢＳ１１０４から第２のＭＳ１１０６ｂへの送信と干渉し得る。隣接するキャリアがダウンリンク１１１４ａ、１１１４ｂのために使用される場合、この干渉は隣接ダウンリンクチャネル干渉と呼ばれることがある。しかしながら、フェムトセルＢＳ１１１０は狭帯域Ｔｘパルス整形フィルタ１１５０ａを利用するので、図１１のシステム１１００中に生じる隣接するダウンリンクチャネル干渉は、図３のシステム３００中に生じる隣接するダウンリンクチャネル干渉よりも著しく少なくなり得る。また、第１のＭＳ１１０６ａは狭帯域Ｒｘパルス整形フィルタ１１５２ｂを利用し、それにより受信信号に関するＳＮＲが増加する。
【００５５】
図１２に、ワイヤレスデバイス１２０１内に含まれ得るいくつかの構成要素を示す。ワイヤレスデバイス１２０１は移動局または基地局とすることができ得る。
【００５６】
ワイヤレスデバイス１２０１はプロセッサ１２０３を含む。プロセッサ１２０３は、汎用シングルまたはマルチチップマイクロプロセッサ（たとえば、ＡＲＭ）、特殊目的マイクロプロセッサ（たとえば、デジタル信号プロセッサ（ＤＳＰ））、マイクロコントローラ、プログラマブルゲートアレイなどとすることができ得る。プロセッサ１２０３は中央処理ユニット（ＣＰＵ）と呼ばれることがある。図１２のワイヤレスデバイス１２０１には単一のプロセッサ１２０３のみが示されるが、代替構成では、プロセッサ（たとえば、ＡＲＭとＤＳＰ）の組合せを使用することができる。
【００５７】
ワイヤレスモバイル１２０１はメモリ１２０５も含む。メモリ１２０５は、電子情報を記憶することが可能な任意の電子構成要素とすることができ得る。メモリ１２０５は、ランダムアクセスメモリ（ＲＡＭ）、読取り専用メモリ（ＲＯＭ）、磁気ディスク記憶メディア、光記憶メディア、ＲＡＭ中のフラッシュメモリデバイス、プロセッサに含まれるオンボードメモリ、ＥＰＲＯＭメモリ、ＥＥＰＲＯＭメモリ、レジスタなど、およびそれらの組合せとして実施でき得る。
【００５８】
メモリ１２０５にデータ１２０７および命令１２０９を記憶することができ得る。命令１２０９は、本明細書で開示する方法を実装するためにプロセッサ１２０３によって実行可能であり得る。命令１２０９を実行することは、メモリ１２０５に記憶されたデータ１２０７の使用を含むことができ得る。ある量のデータ１２０７ａおよび命令１２０９ａはプロセッサ１２０３中にロードでき得る。
【００５９】
ワイヤレスデバイス１２０１はまた、ワイヤレスデバイス１２０１と遠隔地との間の信号の送信および受信を可能にするための送信機１２１１および受信機１２１３を含むことができ得る。送信機１２１１と受信機１２１３とはトランシーバ１２１５と総称され得る。
【００６０】
ワイヤレスデバイス１２０１が移動局５０６である場合、送信機１２１１は狭帯域Ｔｘパルス整形フィルタ５５０ｂと標準Ｔｘパルス整形フィルタ５２６ｂの両方を含むことができ得、受信機１２１３は狭帯域Ｒｘパルス整形フィルタ５５２ｂと標準Ｒｘパルス整形フィルタ５４６ｂの両方を含むことができ得る。ワイヤレスデバイス１２０１がフェムトセル基地局５１０である場合、送信機１２１１は狭帯域Ｔｘパルス整形フィルタ５５０ａを含むことができ得、受信機１２１３は、狭帯域Ｒｘパルス整形フィルタ５５２ａを含むことができ得る。ワイヤレスデバイス１２０１がマクロセル基地局５０４である場合、送信機１２１１は標準Ｔｘパルス整形フィルタ５２６ａを含むことができ得、受信機１２１３は標準Ｒｘパルス整形フィルタ５４６ａを含むことができ得る。
【００６１】
アンテナ１２１７はトランシーバ１２１５に電気的に結合され得る。ワイヤレスデバイス１２０１はまた、複数の送信機、複数の受信機、複数のトランシーバ、および／または複数のアンテナを含むことができ得る（図示せず）。
【００６２】
ワイヤレスデバイス１２０１の様々な構成要素は、パワーバス、制御信号バス、ステータス信号バス、データバスなどを含むことができ得る１つまたは複数のバスシステムによって一緒に結合され得る。明快のために、図１２では様々なバスはバスシステム１２１９として示している。
【００６３】
「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことができ得る。
【００６４】
「メモリ」という用語は、電子情報を記憶することが可能な任意の電子構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データ記憶装置、レジスタなど、様々なタイプのプロセッサ可読媒体を指すことがある。プロセッサがメモリから情報を読み取り、および／または情報をメモリに書き込むことができる場合、メモリはプロセッサと電子的に通信していると言われる。プロセッサに一体化されたメモリは、プロセッサと電子的に通信している。
【００６５】
「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことができ得る。「命令」および「コード」は、単一のコンピュータ可読ステートメントまたは多くのコンピュータ可読ステートメントを備えることができ得る。
【００６６】
本明細書で説明する機能は、ハードウェア、ソフトウェア、ファームウェア、またはそれらの組合せで実装でき得る。ソフトウェアで実装した場合、機能は１つまたは複数の命令としてコンピュータ可読媒体上に記憶でき得る。「コンピュータ可読媒体」という用語は、コンピュータによってアクセスできる任意の媒体を指す。限定ではなく例として、コンピュータ可読媒体は、ＲＡＭ、ＲＯＭ、ＥＥＰＲＯＭ、ＣＤ−ＲＯＭ、または他の光ディスク記憶デバイス、磁気ディスク記憶デバイスもしくは他の磁気記憶デバイス、あるいは命令またはデータ構造の形態で所望のプログラムコードを担持または記憶するために使用でき、コンピュータによってアクセスできる任意の他の媒体を備えることができ得る。本明細書では、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、この場合、ディスク（disk）は、通常、データを磁気的に再生し、ディスク（disc）はデータをレーザで光学的に再生する。
【００６７】
ソフトウェアまたは命令はまた、送信媒体を介して送信でき得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【００６８】
本明細書で開示した方法は、説明した方法を達成するための１つまたは複数のステップまたは動作を備える。本方法のステップおよび／または動作は、特許請求の範囲の範囲から逸脱することなく互いに交換でき得る。すなわち、本明細書で説明する方法の適切な動作のためにステップまたはアクションの特定の順序が必要とされない限り、特定のステップおよび／またはアクションの順序および／または使用は、特許請求の範囲の範囲を逸脱することなく修正することができ得る。
【００６９】
さらに、図７および図８によって示されたものなど、本明細書で説明する方法および技法を実行するためのモジュールおよび／または他の適切な手段は、デバイスによってダウンロードおよび／または他の方法で取得できることを諒解されたい。たとえば、デバイスは、本明細書で説明する方法を実行するための手段の転送を可能にするために、サーバに結合でき得る。代替的に、本明細書で説明する様々な方法は、記憶手段をデバイスに結合するかまたは与えるときにデバイスが様々な方法を獲得することができ得るように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって与えることができる。さらに、本明細書で説明した方法および技法をデバイスに提供するための任意の他の適切な技法を利用することができる。
【００７０】
特許請求の範囲は、上記の正確な構成および構成要素に限定されないことを理解されたい。特許請求の範囲を逸脱することなく、本明細書で説明されたシステム、方法および装置の構成、動作および詳細において、様々な改変、変更および変形を行うことができ得る。
以下に、本願出願の当初の特許請求の範囲に記載された発明を付記する。
［Ｃ１］
隣接チャネル干渉を制限するように構成されたフェムトセル基地局であって、
フェムトセル内に位置する第１の移動局にダウンリンク信号を送信するための送信機と、
前記フェムトセル基地局によって送信された前記ダウンリンク信号の帯域幅が、マクロセル基地局によって第２の移動局に送信されたダウンリンク信号の帯域幅よりも小さくなるように構成された狭帯域送信パルス整形フィルタと
を備える、フェムトセル基地局。
［Ｃ２］
前記第１の移動局からアップリンク信号を受信するための受信機と、
前記第１の移動局における狭帯域送信パルス整形フィルタに一致する狭帯域受信パルス整形フィルタと
をさらに備える、Ｃ１に記載のフェムトセル基地局。
［Ｃ３］
前記第１の移動局における前記狭帯域送信パルス整形フィルタは、前記第１の移動局によって送信された前記アップリンク信号の帯域幅が前記第２の移動局によって前記マクロセル基地局に送信されたアップリンク信号の帯域幅よりも小さくなるように構成された、Ｃ２に記載のフェムトセル基地局。
［Ｃ４］
前記第１の移動局における狭帯域受信パルス整形フィルタが前記狭帯域送信パルス整形フィルタに一致する、Ｃ１に記載のフェムトセル基地局。
［Ｃ５］
前記マクロセル基地局がマクロセルをカバーし、前記フェムトセルが前記マクロセル内に位置する、Ｃ１に記載のフェムトセル基地局。
［Ｃ６］
前記第２の移動局も前記フェムトセル内に位置する、Ｃ１に記載のフェムトセル基地局。
［Ｃ７］
隣接チャネル干渉を制限するように構成された移動局であって、
アップリンク信号を送信するための送信機と、
前記移動局によって送信された前記アップリンク信号の帯域幅を制限する送信パルス整形フィルタと、
前記移動局によって送信された前記アップリンク信号の前記帯域幅を、前記送信パルス整形フィルタよりも大きい程度に制限する狭帯域送信パルス整形フィルタと
を備える、移動局。
［Ｃ８］
前記送信パルス整形フィルタと前記狭帯域送信パルス整形フィルタとの間で切り替えるための切替え機構をさらに備える、Ｃ７に記載の移動局。
［Ｃ９］
前記切替え機構が、マクロセル基地局からフェムトセル基地局へのハンドオフが行われたことを検出したことに応答して、前記送信パルス整形フィルタから前記狭帯域送信パルス整形フィルタに切り替えるように構成された、Ｃ８に記載の移動局。
［Ｃ１０］
前記切替え機構が、フェムトセル基地局からマクロセル基地局へのハンドオフが行われたことを検出したことに応答して、前記狭帯域送信パルス整形フィルタから前記送信パルス整形フィルタに切り替えるように構成された、Ｃ８に記載の移動局。
［Ｃ１１］
ダウンリンク信号を受信するための受信機と、
マクロセル基地局における送信パルス整形フィルタに一致する受信パルス整形フィルタと、
フェムトセル基地局における狭帯域送信パルス整形フィルタに一致する狭帯域受信パルス整形フィルタと
をさらに備える、Ｃ７に記載の移動局。
［Ｃ１２］
前記受信パルス整形フィルタと前記狭帯域受信パルス整形フィルタとの間で切り替えるための切替え機構をさらに備える、Ｃ１１に記載の移動局。
［Ｃ１３］
前記切替え機構が、前記マクロセル基地局から前記フェムトセル基地局へのハンドオフが行われたことを検出したことに応答して、前記受信パルス整形フィルタから前記狭帯域受信パルス整形フィルタに切り替えるように構成された、Ｃ１２に記載の移動局。
［Ｃ１４］
前記切替え機構が、前記フェムトセル基地局から前記マクロセル基地局へのハンドオフが行われたことを検出したことに応答して、前記狭帯域受信パルス整形フィルタから前記受信パルス整形フィルタに切り替えるように構成された、Ｃ１２に記載の移動局。
［Ｃ１５］
受信信号に関する信号対雑音比（ＳＮＲ）を増加させ、隣接アップリンクチャネル干渉を制限するための方法であって、前記方法が移動局によって実施され、前記方法が、
マクロセル基地局からフェムトセル基地局へのハンドオフが行われたことを検出することと、
受信パルス整形フィルタから狭帯域受信パルス整形フィルタに切り替えることと、
前記フェムトセル基地局からダウンリンク送信を受信するために前記狭帯域受信パルス整形フィルタを使用することと
を備える、方法。
［Ｃ１６］
前記狭帯域受信パルス整形フィルタが前記フェムトセル基地局における狭帯域送信パルス整形フィルタに一致する、Ｃ１５に記載の方法。
［Ｃ１７］
送信パルス整形フィルタから狭帯域送信パルス整形フィルタに切り替えることと、
前記フェムトセル基地局にアップリンク送信を送るために前記狭帯域送信パルス整形フィルタを使用することと
をさらに備える、Ｃ１５に記載の方法。
［Ｃ１８］
前記狭帯域送信パルス整形フィルタが、前記アップリンク送信の帯域幅を、前記送信パルス整形フィルタよりも大きい程度に制限する、Ｃ１７に記載の方法。
［Ｃ１９］
前記フェムトセル基地局から前記マクロセル基地局へのハンドオフが行われたことを検出することと、
前記狭帯域受信パルス整形フィルタから前記受信パルス整形フィルタに切り替えることと、
前記マクロセル基地局からダウンリンク送信を受信するために前記受信パルス整形フィルタを使用することと
をさらに備える、Ｃ１５に記載の方法。
［Ｃ２０］
狭帯域送信パルス整形フィルタから送信パルス整形フィルタに切り替えることと、
前記マクロセル基地局にアップリンク送信を送るために前記送信パルス整形フィルタを使用することと
をさらに備える、Ｃ１９に記載の方法。
［Ｃ２１］
受信信号に関する信号対雑音比（ＳＮＲ）を増加させ、隣接アップリンクチャネル干渉を制限するように構成された装置であって、
マクロセル基地局からフェムトセル基地局へのハンドオフが行われたことを検出するための手段と、
受信パルス整形フィルタから狭帯域受信パルス整形フィルタに切り替えるための手段と、
前記フェムトセル基地局からダウンリンク送信を受信するために前記狭帯域受信パルス整形フィルタを使用するための手段と
を備える、装置。
［Ｃ２２］
前記狭帯域受信パルス整形フィルタが前記フェムトセル基地局における狭帯域送信パルス整形フィルタに一致する、Ｃ２１に記載の装置。
［Ｃ２３］
送信パルス整形フィルタから狭帯域送信パルス整形フィルタに切り替えるための手段と、
前記フェムトセル基地局にアップリンク送信を送るために前記狭帯域送信パルス整形フィルタを使用するための手段と
をさらに備える、Ｃ２１に記載の装置。
［Ｃ２４］
前記狭帯域送信パルス整形フィルタが、前記アップリンク送信の帯域幅を、前記送信パルス整形フィルタよりも大きい程度に制限する、Ｃ２３に記載の装置。
［Ｃ２５］
前記フェムトセル基地局から前記マクロセル基地局へのハンドオフが行われたことを検出するための手段と、
前記狭帯域受信パルス整形フィルタから前記受信パルス整形フィルタに切り替えるための手段と、
前記マクロセル基地局からダウンリンク送信を受信するために前記受信パルス整形フィルタを使用するための手段と
をさらに備える、Ｃ２１に記載の装置。
［Ｃ２６］
狭帯域送信パルス整形フィルタから送信パルス整形フィルタに切り替えるための手段と、
前記マクロセル基地局にアップリンク送信を送るために前記送信パルス整形フィルタを使用するための手段と
をさらに備える、Ｃ２５に記載の装置。
［Ｃ２７］
受信信号に関する信号対雑音比（ＳＮＲ）を増加させ、隣接アップリンクチャネル干渉を制限するためのコンピュータプログラム製品であって、前記コンピュータプログラム製品はその上に命令を有するコンピュータ可読媒体を備え、前記命令が、
マクロセル基地局からフェムトセル基地局へのハンドオフが行われたことを検出するためのコードと、
受信パルス整形フィルタから狭帯域受信パルス整形フィルタに切り替えるためのコードと、
前記フェムトセル基地局からダウンリンク送信を受信するために前記狭帯域受信パルス整形フィルタを使用するためのコードと
を備える、コンピュータプログラム製品。
［Ｃ２８］
送信パルス整形フィルタから狭帯域送信パルス整形フィルタに切り替えるためのコードと、
前記フェムトセル基地局にアップリンク送信を送るために前記狭帯域送信パルス整形フィルタを使用するためのコードと
をさらに備える、Ｃ２７に記載のコンピュータプログラム製品。
［Ｃ２９］
前記フェムトセル基地局から前記マクロセル基地局へのハンドオフが行われたことを検出するためのコードと、
前記狭帯域受信パルス整形フィルタから前記受信パルス整形フィルタに切り替えるためのコードと、
前記マクロセル基地局からダウンリンク送信を受信するために前記受信パルス整形フィルタを使用するためのコードと
をさらに備える、Ｃ２７に記載のコンピュータプログラム製品。
［Ｃ３０］
狭帯域送信パルス整形フィルタから送信パルス整形フィルタに切り替えるためのコードと、
前記マクロセル基地局にアップリンク送信を送るために前記送信パルス整形フィルタを使用するためのコードと
をさらに備える、Ｃ２９に記載のコンピュータプログラム製品。
【図１】
0005559175.tif 000002
【図２】
0005559175.tif 000003
【図３】
0005559175.tif 000004
【図４】
0005559175.tif 000005
【図５】
0005559175.tif 000006
【図６】
0005559175.tif 000007
【図７】
0005559175.tif 000008
【図８】
0005559175.tif 000009
【図９】
0005559175.tif 000010
【図１０】
0005559175.tif 000011
【図１１】
0005559175.tif 000012
【図１２】
0005559175.tif 000013